(57)【要約】【課題】  １工程両面多色印刷を行うことが可能な複胴式孔版印刷装置を提供する。【解決手段】  版胴１２，２５及び押圧手段１３，２６を有する複数の印刷部２，６と、各印刷部２，６間に配設された中間搬送装置２４とを有する複胴式孔版印刷装置１において、最上流印刷部２に配置された版胴１２の外周面上に分割製版済みマスタ１７を巻装すると共に、押圧手段１３は駆動手段により回転駆動され、最上流印刷部２として、再給紙手段１４と、再給紙手段１４に向けて用紙Ｐを案内する第１の位置と中間搬送装置２４に向けて用紙Ｐを案内する第２の位置とを選択的に占める切替爪１５と、版胴１２に対する押圧手段１３の押圧範囲を第１製版画像に対応した第１の範囲または第２製版画像に対応した第２の範囲または第１製版画像と第２製版画像とを合わせた第３の範囲の何れかに切り替える押圧範囲切替手段３４とを有する１工程両面印刷部を用いた。【選択図】                        図１
2006347033.tif 000002
【特許請求の範囲】
【請求項１】
複数の版胴及び前記各版胴にそれぞれ対応して配設され対応する前記版胴に用紙を押圧する押圧手段とを有する複数の印刷部と、相隣る前記印刷部間に配設され用紙搬送方向上流側に配置された前記印刷部から用紙搬送方向下流側に配置された前記印刷部に向けて用紙を搬送する中間搬送装置とを有する複胴式孔版印刷装置において、
用紙搬送方向最上流位置に配置された前記印刷部である最上流印刷部に配置された前記版胴の外周面上には第１製版画像と第２製版画像とを有する分割製版済みマスタが巻装されると共に、前記最上流印刷部に配置された前記押圧手段は駆動手段により回転駆動され、前記最上流印刷部として、一面に印刷がなされた用紙を一時貯容した後に前記版胴と前記押圧手段との間に向けて再給紙する再給紙手段と、前記再給紙手段に向けて用紙を案内する第１の位置と前記中間搬送装置に向けて用紙を案内する第２の位置とを選択的に占める切替爪と、前記版胴に対する前記押圧手段の押圧範囲を第１製版画像に対応した第１の範囲または第２製版画像に対応した第２の範囲または第１製版画像と第２製版画像とを合わせた第３の範囲の何れかに切り替える押圧範囲切替手段とを有する１工程両面印刷部が用いられることを特徴とする複胴式孔版印刷装置。
【請求項２】
請求項１記載の複胴式孔版印刷装置において、
前記最上流印刷部の用紙搬送方向下流側に配置された前記印刷部である下流側印刷部は、前記版胴の外周面上に第１製版画像と第２製版画像とを有する分割製版済みマスタを巻装すると共に、前記版胴に対する前記押圧手段の押圧範囲を第１製版画像に対応した第１の範囲または第２製版画像に対応した第２の範囲または第１製版画像と第２製版画像とを合わせた第３の範囲の何れかに切り替える押圧範囲切替手段を有することを特徴とする複胴式孔版印刷装置。
【請求項３】
請求項１または２記載の複胴式孔版印刷装置において、
各印刷部に使用されるインキの色をそれぞれ同色あるいは異色とし、片面単色印刷、片面多色印刷、両面同色印刷、表裏面異色印刷、一面同色他面多色印刷をそれぞれ切り替えて行うことが可能であることを特徴とする複胴式孔版印刷装置。
【請求項４】
請求項１記載の複胴式孔版印刷装置において、
前記下流側印刷部の少なくとも１つに前記１工程両面印刷部が用いられることを特徴とする複胴式孔版印刷装置。
【請求項５】
請求項４記載の複胴式孔版印刷装置において、
複数の前記１工程両面印刷部のうち、前記１工程両面印刷部のみを用紙搬送方向上流側より数えた際に偶数番目に位置する前記１工程両面印刷部では、前記版胴の外周面上に巻装される前記分割製版済みマスタとして、前記最上流印刷部において使用されるものとは第１製版画像と第２製版画像とが入れ替わっていることを特徴とする複胴式孔版印刷装置。
【請求項６】
請求項４または５記載の複胴式孔版印刷装置において、
各印刷部に使用されるインキの色をそれぞれ同色あるいは異色とし、片面単色印刷、片面多色印刷、両面同色印刷、表裏面異色印刷、一面同色他面多色印刷、両面多色印刷をそれぞれ切り替えて行うことが可能であることを特徴とする複胴式孔版印刷装置。
【発明の詳細な説明】
【技術分野】
【０００１】
本発明は、１工程で両面多色印刷を行うことが可能な複胴式孔版印刷装置に関する。
【背景技術】
【０００２】
従来、簡便な印刷方法としてデジタル式感熱孔版印刷が知られている。これは、熱可塑性樹脂フィルムと多孔性支持体とを貼り合わせたマスタに微細な発熱素子を複数有するサーマルヘッドを接触させ、この発熱素子に対しパルス的に通電を行いながらマスタをプラテンローラ等の搬送手段で搬送することにより、マスタの熱可塑性樹脂フィルムに画像情報に基づいた穿孔画像を熱溶融穿孔製版した後、この穿孔製版されたマスタを多孔性円筒状の版胴に巻装させ、プレスローラ等の押圧手段によって用紙を版胴外周面に押圧させることで版胴内周面に供給されたインキを版胴開孔部及びマスタ穿孔部から滲出させ、このインキを用紙に転移させることにより用紙上に印刷画像を得るものである。
【０００３】
最近では、上述の孔版印刷によって多色の印刷物を得る多色印刷が行われるようになってきている。この一例として、内部にそれぞれ異なる色のインキを貯容すると共に直列に配置された複数の版胴を単一の駆動手段で同期して回転駆動させ、各版胴にそれぞれ対応して設けられた押圧手段によって用紙を各版胴に順次圧接させることにより用紙上に各版胴のインキ色に対応した画像を順次転写させ、１工程で多色印刷物を得ることが可能な複胴式孔版印刷装置が、例えば「特許文献１」に開示されている。
【０００４】
また、用紙の消費量及び書類の保管スペースを低減させるため等の目的から、用紙の両面に印刷を行う両面印刷が頻繁に行われるようになってきている。この一例として、版胴の回転方向に第１製版画像と第２製版画像とが２面並んだ分割製版済みマスタを用い、給紙部より１枚目の用紙を給送してこの表面に一方の製版画像を印刷した後にこの用紙を補助トレイに案内し、給紙部より２枚目の用紙を給送してこの表面に一方の製版画像を印刷した後にこの用紙を補助トレイに案内すると共に、補助トレイより１枚目の用紙を再給紙してこの裏面に他方の製版画像を印刷してこの用紙を排紙トレイに排出し、この動作を連続して行うことにより１工程で両面印刷物を得る両面印刷装置が、例えば「特許文献２」に開示されている。
【０００５】
【特許文献１】特開平１０−２９７０７４号公報
【特許文献２】特開２００３−２００６４５号公報
【発明の開示】
【発明が解決しようとする課題】
【０００６】
上述した各技術によれば、１工程多色印刷あるいは１工程両面印刷を行うことはできるが、１工程両面多色印刷を行うことはできない。
【０００７】
本発明は、１工程両面多色印刷を行うことが可能な複胴式孔版印刷装置の提供を目的とする。
【課題を解決するための手段】
【０００８】
請求項１記載の発明は、複数の版胴及び前記各版胴にそれぞれ対応して配設され対応する前記版胴に用紙を押圧する押圧手段とを有する複数の印刷部と、相隣る前記印刷部間に配設され用紙搬送方向上流側に配置された前記印刷部から用紙搬送方向下流側に配置された前記印刷部に向けて用紙を搬送する中間搬送装置とを有する複胴式孔版印刷装置において、用紙搬送方向最上流位置に配置された前記印刷部である最上流印刷部に配置された前記版胴の外周面上には第１製版画像と第２製版画像とを有する分割製版済みマスタが巻装されると共に、前記最上流印刷部に配置された前記押圧手段は駆動手段により回転駆動され、前記最上流印刷部として、一面に印刷がなされた用紙を一時貯容した後に前記版胴と前記押圧手段との間に向けて再給紙する再給紙手段と、前記再給紙手段に向けて用紙を案内する第１の位置と前記中間搬送装置に向けて用紙を案内する第２の位置とを選択的に占める切替爪と、前記版胴に対する前記押圧手段の押圧範囲を第１製版画像に対応した第１の範囲または第２製版画像に対応した第２の範囲または第１製版画像と第２製版画像とを合わせた第３の範囲の何れかに切り替える押圧範囲切替手段とを有する１工程両面印刷部が用いられることを特徴とする。
【０００９】
請求項２記載の発明は、請求項１記載の複胴式孔版印刷装置において、さらに前記最上流印刷部の用紙搬送方向下流側に配置された前記印刷部である下流側印刷部は、前記版胴の外周面上に第１製版画像と第２製版画像とを有する分割製版済みマスタを巻装すると共に、前記版胴に対する前記押圧手段の押圧範囲を第１製版画像に対応した第１の範囲または第２製版画像に対応した第２の範囲または第１製版画像と第２製版画像とを合わせた第３の範囲の何れかに切り替える押圧範囲切替手段を有することを特徴とする。
【００１０】
請求項３記載の発明は、請求項１または２記載の複胴式孔版印刷装置において、さらに各印刷部に使用されるインキの色をそれぞれ同色あるいは異色とし、片面単色印刷、片面多色印刷、両面同色印刷、表裏面異色印刷、一面同色他面多色印刷をそれぞれ切り替えて行うことが可能であることを特徴とする。
【００１１】
請求項４記載の発明は、請求項１記載の複胴式孔版印刷装置において、さらに前記下流側印刷部の少なくとも１つに前記１工程両面印刷部が用いられることを特徴とする。
【００１２】
請求項５記載の発明は、請求項４記載の複胴式孔版印刷装置において、さらに複数の前記１工程両面印刷部のうち、前記１工程両面印刷部のみを用紙搬送方向上流側より数えた際に偶数番目に位置する前記１工程両面印刷部では、前記版胴の外周面上に巻装される前記分割製版済みマスタとして、前記最上流印刷部において使用されるものとは第１製版画像と第２製版画像とが入れ替わっていることを特徴とする。
【００１３】
請求項６記載の発明は、請求項４または５記載の複胴式孔版印刷装置において、さらに各印刷部に使用されるインキの色をそれぞれ同色あるいは異色とし、片面単色印刷、片面多色印刷、両面同色印刷、表裏面異色印刷、一面同色他面多色印刷、両面多色印刷をそれぞれ切り替えて行うことが可能であることを特徴とする。
【発明の効果】
【００１４】
本発明によれば、片面単色印刷を行う第１のモード、片面多色印刷を行う第２のモード、両面同色印刷を行う第３のモード、表裏面異色印刷を行う第４のモード、一面同色他面多色印刷を行う第５のモードの何れかに印刷モードを切り替えることができ、１工程両面多色印刷を行うことができる。
【発明を実施するための最良の形態】
【００１５】
図１は、本発明の第１の実施形態を採用した複胴式孔版印刷装置を示している。この複胴式孔版印刷装置１は、特開２００３−２００６４５号公報に開示された両面印刷装置と関連する構成を有しているので、各部位の説明をできるたけ簡略化する。
【００１６】
図１において複胴式孔版印刷装置１は、最上流印刷部である１工程両面印刷部２、製版部３、給紙部４、排版部５、下流側印刷部である印刷部６、製版部７、排版部８、中間搬送装置２４、排紙部９、画像読取部１０等を有している。
【００１７】
装置本体１１のほぼ中央部に配置された１工程両面印刷部２は、版胴１２、押圧手段としてのプレスローラ１３、再給紙手段１４、切替爪１５等を有している。  
版胴１２は装置本体１１に回転自在かつ着脱自在に支持されており、図示しない版胴駆動手段によって回転駆動される。版胴１２はその外周面上に開閉自在なクランパ１６を有しており、版胴１２の外周面上には製版部３で製版された分割製版済みマスタ１７が巻装される。分割製版済みマスタ１７には表面画像に応じた第１製版画像と裏面画像に応じた第２製版画像とが形成されており、各製版画像間には未製版部分が形成されている。分割製版済みマスタ１７は、版胴１２上において、第１製版画像が図１に示す表面領域に、第２製版画像が同裏面領域に、未製版部分が同中間領域にそれぞれ対応するように巻装される。版胴１２の外周面近傍には、版胴１２の位置を検知する図示しないロータリエンコーダが設けられている。
【００１８】
版胴１２の内部には、インキローラ、ドクターローラ、インキ供給パイプ、黒色のインキを貯容した図示しないインキパック、図示しないインキ供給ポンプ等を有する周知のインキ供給手段２９が配設されている。インキ供給手段２９は、版胴１２と一体的に装置本体１１に対して着脱される。
【００１９】
版胴１２の下方にはプレスローラ１３が配設されている。フッ素樹脂等の撥水性を有する弾性体からなるプレスローラ１３は図示しないアーム部材にその両端を回転自在に支持されており、図示しないアーム部材は揺動手段３４（図３参照）によって揺動自在に支持されている。プレスローラ１３はその周面が版胴１２より離間する図１に示す離間位置と、その周面が版胴１２上の分割製版済みマスタ１７に圧接する圧接位置とを選択的に占める。プレスローラ１３の周面近傍には、印刷された用紙Ｐを後述する補助トレイ２１に導く案内部材１８が配設されている。
【００２０】
プレスローラ１３の近傍には、特開２００３−２００６４５号公報に開示されたプレスローラー回転駆動手段１３９と同様の図示しないプレスローラ駆動手段が配設されており、プレスローラ１３は版胴１２の回転周速度と同じ回転周速度で回転駆動される。また、図示しないプレスローラ駆動手段には図示しない一方向クラッチが介装されており、プレスローラ１３は、版胴１２との圧接時において版胴１２に対して従動回転可能に構成されている。
【００２１】
図示しないアーム部材を揺動させる揺動手段３４は、特開２００３−２００６４５号公報に開示されたプレスローラー接離機構５５と同様に３枚のカム板を有しており、各カム板の何れかが図示しないアーム部材に設けられたカムフォロアと当接することによって、プレスローラ１３の版胴１２に対する押圧範囲を、第１製版画像すなわち表面領域に対応した第１の範囲、または第２製版画像すなわち裏面領域に対応した第２の範囲、または第１製版画像と第２製版画像とを合わせた範囲すなわち表面領域と裏面領域とを合わせた範囲である第３の範囲の何れかに設定する。これにより揺動手段３４は、版胴１２に対するプレスローラ１３の押圧範囲を切り替える押圧範囲切替手段として機能する。揺動手段３４の近傍には、プレスローラ１３を離間位置で保持する図示しないプレスローラ保持手段が配設されている。
【００２２】
プレスローラ１３の右方近傍には補助トレイ２１から再給紙された表面印刷済みの用紙Ｐをプレスローラ１３の周面に沿わせて搬送させる再給紙案内部材１９が配設されており、プレスローラ１３の下方には補助トレイ２１上に一時貯容された用紙Ｐをプレスローラ１３の周面に接触させて送り出す再給紙レジストローラ２０が配設されている。プレスローラ１３の左下方には上面に補助トレイ２１を有する再給紙搬送手段２２が配設されており、これには再給紙位置決め部材２３が一体的に設けられている。これら再給紙案内部材１９、再給紙レジストローラ２０、補助トレイ２１、再給紙搬送手段２２、再給紙位置決め部材２３によって再給紙手段１４が構成されている。
【００２３】
版胴１２とプレスローラ１３との接触位置の左方であって用紙Ｐの搬送経路上には切替爪１５が配設されている。切替爪１５はその用紙搬送方向下流側端部を装置本体１１に回動自在に支持されており、図示しない移動手段によって移動され、図１に二点鎖線で示す第１の位置と実線で示す第２の位置とを選択的に占める。版胴１２とプレスローラ１３との間を通過した用紙Ｐは、切替爪１５が第１の位置を占めているときに補助トレイ２１へと案内され、切替爪１５が第２の位置を占めているときに後述する中間搬送装置２４へと案内される。
【００２４】
１工程両面印刷部２の右上方には製版部３が配設されている。製版部３は、マスタをロール状に巻成したマスタロールを保持するマスタ保持部材、プラテンローラ、サーマルヘッド、マスタ切断手段、マスタストック部、テンションローラ対、反転ローラ対等を有する周知の構成であり、製版部３では分割製版済みマスタ１７が作成される。
【００２５】
１工程両面印刷部２の右下方には給紙部４が配設されている。給紙部４は、給紙トレイ、給紙ローラ、分離ローラ、分離パッド、レジストローラ対等を有する周知の構成であり、所定のタイミングで用紙Ｐを１工程両面印刷部２に向けて分離給送する。
【００２６】
１工程両面印刷部２の右方であって製版部３と給紙部４との間の位置には、版胴１２の外周面上より使用済みの分割製版済みマスタ１７を剥離して廃棄する排版部５が配設されている。排版部５は、上排版部材、下排版部材、排版ボックス、圧縮板等を有する周知の構成であり、版胴１２上より剥離された使用済みの分割製版済みマスタ１７は排版ボックスの内部に貯容された後、圧縮板により圧縮される。
【００２７】
１工程両面印刷部２の左方には、版胴２５と押圧手段としてのプレスローラ２６とを有する印刷部６が配設されている。版胴２５は装置本体１１に回転自在かつ着脱自在に支持されており、版胴１２と同じ図示しない版胴駆動手段からの回転駆動力を図示しない駆動力伝達手段を介して伝達され、版胴１２と同期して回転駆動される。版胴２５はその外周面上に開閉自在なクランパ２７を有しており、版胴２５の外周面上には分割製版済みマスタ２８が巻装される。分割製版済みマスタ２８は、版胴２５上において、第１製版画像が図１に示す表面領域に、第２製版画像が同裏面領域に、未製版部分が同中間領域にそれぞれ対応するように巻装される。版胴２５の外周面近傍には、版胴２５の位置を検知する図示しないロータリエンコーダが設けられている。
【００２８】
版胴２５の内部には、インキ供給手段２９と同様の構成を有するインキ供給手段３０が配設されている。インキ供給手段３０は、版胴２５と一体的に装置本体１１に対して着脱される。また、インキ供給手段３０の図示しないインキパックには、インキ供給手段２９のインキパックに貯容されたインキ（本実施形態では黒色）とは異なる色（本実施形態では赤色）のインキが貯容されている。
【００２９】
版胴２５の下方にはプレスローラ２６が配設されている。プレスローラ１３と同様に構成されたプレスローラ２６は図示しないアーム部材にその両端を回転自在に支持されており、図示しないアーム部材は揺動手段３５（図３参照）によって揺動自在に支持されている。プレスローラ２６はその周面が版胴２５より離間する図１に示す離間位置と、その周面が版胴２５上の分割製版済みマスタ２８に圧接する圧接位置とを選択的に占める。
【００３０】
揺動手段３５は揺動手段３４と同様に構成されており、各カム板の何れかが図示しないアーム部材に設けられたカムフォロアと当接することによって、プレスローラ２６の版胴２５に対する押圧範囲を、第１製版画像すなわち表面領域に対応した第１の範囲、または第２製版画像すなわち裏面領域に対応した第２の範囲、または第１製版画像と第２製版画像とを合わせた範囲すなわち表面領域と裏面領域とを合わせた範囲である第３の範囲の何れかに設定する。これにより揺動手段３５は、版胴２５に対するプレスローラ２６の押圧範囲を切り替える押圧範囲切替手段として機能する。揺動手段３５の近傍には、プレスローラ２６を離間位置で保持する図示しないプレスローラ保持手段が配設されている。
【００３１】
印刷部６の右上方には製版部７が配設されている。製版部７は製版部３と同様に、マスタ保持部材、プラテンローラ、サーマルヘッド、マスタ切断手段、マスタストック部、テンションローラ対、反転ローラ対等を有する周知の構成を有しており、製版部７において分割製版済みマスタ２８が作成される。
【００３２】
印刷部６の左方には排版部８が配設されている。排版部８は排版部５と同様に、上排版部材、下排版部材、排版ボックス、圧縮板等を有する周知の構成を有しており、版胴２５上より剥離された使用済みの分割製版済みマスタ２８は排版ボックスの内部に貯容された後、圧縮板により圧縮される。
【００３３】
１工程両面印刷部２と印刷部６との間には中間搬送装置２４が配設されている。中間搬送装置２４は、駆動ローラ、従動ローラ、無端ベルト、吸引ファン等を有する吸着搬送式コンベヤであり、無端ベルトの上面に１工程両面印刷部２で印刷された用紙Ｐを吸着し、所定のタイミングで版胴２５とプレスローラ２６との間に向けて給送する。中間搬送装置２４による用紙搬送速度は、１工程両面印刷部２で印刷された用紙Ｐの印刷画像が印刷部６で印刷される画像と合致するように設定されている。
【００３４】
中間搬送装置２４の右上方には、版胴１２の外周面上から印刷済みの用紙Ｐを剥離する剥離爪４５が配設されている。剥離爪４５はその基端を装置本体１１に揺動自在に支持されており、図示しない揺動手段によって揺動されることにより鋭角状に形成されたその先端を版胴１２の外周面に対して近接離間自在に構成されている。
【００３５】
排版部８の下方には排紙部９が配設されている。排紙部９は、剥離爪３１、排紙搬送手段３２、排紙トレイ３３等を有している。  
版胴２５の外周面上から印刷済みの用紙Ｐを剥離する剥離爪３１はその基端を装置本体１１に揺動自在に支持されており、図示しない揺動手段によって揺動されることにより鋭角状に形成されたその先端を版胴２５の外周面に対して近接離間自在に構成されている。
【００３６】
排紙搬送手段３２は、駆動ローラ、従動ローラ、無端ベルト、吸引ファン等を有する吸着搬送式コンベヤであり、無端ベルトの上面に印刷部６で印刷された用紙Ｐを吸着しつつ排紙トレイ３３に向けて搬送する。排紙トレイ３３は１個のエンドフェンスと一対のサイドフェンスとを有しており、その上面に印刷済みの用紙Ｐを積載する。
【００３７】
装置本体１１の上部には画像読取部１０が配設されている。画像読取部１０は、原稿を載置するコンタクトガラス、コンタクトガラスに対して接離自在に設けられた圧板、原稿画像を走査して読み取る走査ユニット、走査された画像を集束するレンズ、集束された画像を処理する画像センサ等を有する周知の構成である。
【００３８】
図２は、装置本体１１の上部前面に設けられた複胴式孔版印刷装置１の操作パネルを示している。同図において操作パネル３６には、製版スタートキー３７、印刷スタートキー３８、ストップキー３９、テンキー４０、７セグメントＬＥＤからなる表示装置４１、ＬＣＤからなる表示装置４２等の周知の構成の他、印刷モードを、片面単色印刷を行う第１のモード、片面多色印刷を行う第２のモード、両面同色印刷を行う第３のモード、表裏面異色印刷を行う第４のモード、一面同色他面多色印刷を行う第５のモードの何れかに切り替えるセレクトスイッチ４３が配設されている。
【００３９】
図３は、複胴式孔版印刷装置１に用いられる制御手段のブロック図である。同図において制御手段４４は内部にＣＰＵ、ＲＯＭ、ＲＡＭ等を有する周知のマイクロコンピュータであり、図示しないロータリエンコーダ及び操作パネル３６からの動作信号、図示しない各種センサからの検知信号等に基づいて１工程両面印刷部２、製版部３、給紙部４、排版部５、印刷部６、製版部７、排版部８、排紙部９、画像読取部１０、中間搬送装置２４の作動をそれぞれ制御する。
【００４０】
上述の構成に基づき、以下に複胴式孔版印刷装置１の動作を説明する。先ず、セレクトスイッチ４３が「１」を指し、第１のモードである片面単色印刷が行われる場合を説明する。
【００４１】
オペレータによりセレクトスイッチ４３が「１」の位置に切り替えられ、画像読取部１０に印刷すべき１枚の原稿がセットされた後に製版スタートキー３７が押下されると、画像読取部１０において原稿画像の読取動作が行われると共に排版部５が作動して版胴１２の外周面上から使用済みの分割製版済みマスタ１７が剥離される。排版後、製版部３が作動して新たな分割製版済みマスタ１７が製版され、これが版胴１２に巻装される。
【００４２】
このときに作成される分割製版済みマスタ１７には、原稿が１枚のみ用いられる片面印刷であるために第１製版画像のみが作成される。その第２製版画像は未製版状態であり、分割製版済みマスタ１７はあたかも通常の製版済みマスタと同様に作成される。また、片面単色印刷動作であるために印刷部６は使用されず、版胴２５上からの分割製版済みマスタ２８の剥離動作及び新たな分割製版済みマスタ２８の製版給版動作は行われない。プレスローラ２６は印刷動作中において揺動動作を行わず、図示しないプレスローラ保持手段によって離間位置で保持された状態を維持する。切替爪１５は印刷動作中において第２の位置を占めた状態で固定される。
【００４３】
巻装動作が完了して複胴式孔版印刷装置１が印刷待機状態となった後、オペレータにより各種印刷条件が設定された後に印刷スタートキー３８が押下されると、版胴１２が設定された印刷速度に応じた周速度で回転駆動されると共に給紙部４より用紙Ｐが１枚分離給送される。給送された用紙Ｐはレジストローラ対で一時停止された後、所定のタイミングで版胴１２とプレスローラ１３との間に向けて送られる。なお、各種印刷条件の設定は、製版スタートキー３７の押下前に行ってもよい。
【００４４】
版胴１２が所定の角度まで回転してその表面領域がプレスローラ１３と対応する位置を占めると、揺動手段３４の作動によりプレスローラ１３が圧接位置を占め、用紙Ｐが版胴１２上の分割製版済みマスタ１７の第１製版画像に圧接されてその上面に原稿画像に対応した印刷画像を転写される。このとき揺動手段３４は、プレスローラ１３の版胴１２に対する押圧範囲を第１の範囲または第３の範囲に設定している。印刷済み用紙となった用紙Ｐは、版胴１２の外周面に対して近接した位置を占めた剥離爪４５によって版胴１２の外周面より剥離され、中間搬送装置２４へと送られる。
【００４５】
中間搬送装置２４へと送られた印刷済みの用紙Ｐは、中間搬送装置２４の吸着搬送力によって下流側へと搬送され、離間位置において保持されているプレスローラ２６と版胴２５との間を通過して排紙搬送手段３２へと送られる。送られた用紙Ｐは排紙搬送手段３２によってさらに下流側へと吸着搬送され、排紙トレイ３３上に排出積載される。以下、上述の動作が設定された印刷枚数を消化するまで繰り返され、設定印刷枚数に達すると各部位の作動が停止して印刷動作が完了する。
【００４６】
上述の動作では、分割製版済みマスタ１７の第１製版画像のみを作成して第２製版画像を未製版状態とする例を示したが、分割製版済みマスタ１７の第２製版画像のみを作成して第１製版画像を未製版状態としてもよい。この場合、揺動手段３４はプレスローラ１３の版胴１２に対する押圧範囲を第２の範囲または第３の範囲に設定する。
【００４７】
次に、セレクトスイッチ４３が「２」を指し、第２のモードである片面多色印刷が行われる場合を説明する。オペレータによりセレクトスイッチ４３が「２」の位置に切り替えられ、画像読取部１０に印刷すべき２枚の原稿のうちの１枚目がセットされた後に製版スタートキー３７が押下されると、画像読取部１０において１枚目の原稿画像の読取動作が行われると共に排版部５が作動して版胴１２の外周面上から使用済みの分割製版済みマスタ１７が剥離される。１枚目の原稿の読取動作が完了すると、表示装置４２に２枚目の原稿セットを促す旨の表示がなされ、オペレータは画像読取部１０に２枚目の原稿をセットした後に再び製版スタートキー３７を押下する。すると、画像読取部１０において２枚目の原稿画像の読取動作が行われると共に排版部８が作動して版胴２５の外周面上から使用済みの分割製版済みマスタ２８が剥離される。排版後、各製版部３，７が作動して新たな分割製版済みマスタ１７，２８がそれぞれ製版され、これが各版胴１２，２５にそれぞれ巻装される。
【００４８】
このときに作成される分割製版済みマスタ１７，２８には、片面印刷であるために第１製版画像のみが作成される。それぞれの第２製版画像は未製版状態であり、分割製版済みマスタ１７，２８はあたかも通常の製版済みマスタと同様に作成される。分割製版済みマスタ１７には第１色（本実施形態では黒色）の印刷画像である１枚目の原稿画像に対応した製版画像が作成され、分割製版済みマスタ２８には第２色（本実施形態では赤色）の印刷画像である２枚目の原稿画像に対応した製版画像が作成される。切替爪１５は印刷動作中において第２の位置を占めた状態で固定される。
【００４９】
巻装動作が完了して複胴式孔版印刷装置１が印刷待機状態となった後、オペレータにより各種印刷条件が設定された後に印刷スタートキー３８が押下されると、各版胴１２，２５が設定された印刷速度に応じた周速度で回転駆動されると共に給紙部４より用紙Ｐが１枚分離給送される。給送された用紙Ｐはレジストローラ対で一時停止された後、所定のタイミングで版胴１２とプレスローラ１３との間に向けて送られる。
【００５０】
版胴１２が所定の角度まで回転してその表面領域がプレスローラ１３と対応する位置を占めると、揺動手段３４の作動によりプレスローラ１３が圧接位置を占め、用紙Ｐが版胴１２上の分割製版済みマスタ１７の第１製版画像に圧接されてその上面に１枚目の原稿画像に対応した印刷画像を転写される。このとき揺動手段３４は、プレスローラ１３の版胴１２に対する押圧範囲を第１の範囲または第３の範囲に設定している。黒色画像を転写された用紙Ｐは、版胴１２の外周面に対して近接した位置を占めた剥離爪４５によって版胴１２の外周面より剥離され、中間搬送装置２４へと送られる。
【００５１】
中間搬送装置２４へと送られた印刷済みの用紙Ｐは、中間搬送装置２４の吸着搬送力によって下流側へと搬送され、所定のタイミングで版胴２５とプレスローラ２６との間に向けて送られる。版胴２５が所定の角度まで回転してその表面領域がプレスローラ２６と対応する位置を占めると、揺動手段３５の作動によりプレスローラ２６が圧接位置を占め、用紙Ｐが版胴２５上の分割製版済みマスタ２８の第１製版画像に圧接されてその上面に２枚目の原稿画像に対応した印刷画像を転写される。このとき揺動手段３５は、プレスローラ２６の版胴２５に対する押圧範囲を第１の範囲または第３の範囲に設定している。
【００５２】
赤色画像を転写され多色印刷済み用紙となった用紙Ｐは、版胴２５の外周面に対して近接した位置を占めた剥離爪３１によって版胴２５の外周面より剥離され、排紙搬送手段３２へと送られる。送られた用紙Ｐは排紙搬送手段３２によってさらに下流側へと吸着搬送され、排紙トレイ３３上に排出積載される。以下、上述の動作が設定された印刷枚数を消化するまで繰り返され、設定印刷枚数に達すると各部位の作動が停止して印刷動作が完了する。
【００５３】
上述の動作では、各分割製版済みマスタ１７，２８の第１製版画像のみを作成して第２製版画像を未製版状態とする例を示したが、各分割製版済みマスタ１７，２８共に、何れか一方の製版画像のみを作成して他方の製版画像を未製版状態としてもよい。この場合、各揺動手段３４，３５は各プレスローラ１３，２６の各版胴１２，２５に対する押圧範囲を、形成した製版画像に対応した範囲、すなわち第１製版画像を作成した場合には第１の範囲または第３の範囲に、第２製版画像を作成した場合には第２の範囲または第３の範囲に、それぞれ個別に設定する。
【００５４】
次に、セレクトスイッチ４３が「３」を指し、第３のモードである両面同色印刷が行われる場合を説明する。オペレータによりセレクトスイッチ４３が「３」の位置に切り替えられ、画像読取部１０に印刷すべき２枚の原稿のうちの１枚目がセットされた後に製版スタートキー３７が押下されると、画像読取部１０において１枚目の原稿画像の読取動作が行われると共に排版部５が作動して版胴１２の外周面上から使用済みの分割製版済みマスタ１７が剥離される。１枚目の原稿の読取動作が完了した後、オペレータにより画像読取部１０に２枚目の原稿がセットされた後に再び製版スタートキー３７が押下されると、画像読取部１０において２枚目の原稿画像の読取動作が行われる。排版後、製版部３が作動して新たな分割製版済みマスタ１７が製版され、これが版胴１２に巻装される。
【００５５】
このときに作成される分割製版済みマスタ１７には、両面印刷であるために１枚目の原稿画像に対応した第１製版画像及び２枚目の原稿画像に対応した第２製版画像の双方が作成される。また、両面同色印刷であるために印刷部６は使用されず、版胴２５上からの分割製版済みマスタ２８の剥離動作及び新たな分割製版済みマスタ２８の製版給版動作は行われない。プレスローラ２６は印刷動作中において揺動動作を行わず、図示しないプレスローラ保持手段によって離間位置で保持された状態を維持する。
【００５６】
巻装動作が完了して複胴式孔版印刷装置１が印刷待機状態となった後、オペレータにより各種印刷条件が設定された後に印刷スタートキー３８が押下されると、版胴１２が設定された印刷速度に応じた周速度で回転駆動されると共に給紙部４より用紙Ｐが１枚分離給送され、用紙Ｐはレジストローラ対により所定のタイミングで版胴１２とプレスローラ１３との間に向けて送られる。
【００５７】
揺動手段３４はプレスローラ１３の版胴１２に対する押圧範囲を第１の範囲に設定しており、版胴１２が所定の角度まで回転してその表面領域がプレスローラ１３と対応する位置を占めると、揺動手段３４の作動によりプレスローラ１３が圧接位置を占め、用紙Ｐが版胴１２上の分割製版済みマスタ１７の第１製版画像に圧接されてその一方の面に１枚目の原稿画像に対応した印刷画像を転写される。表面印刷済み用紙となった用紙Ｐは、第１の位置を占めている切替爪１５の先端によって版胴１２の外周面より剥離され、補助トレイ２１へと送られて載置される。補助トレイ２１上の用紙Ｐは再給紙搬送手段２２によって図１の矢印方向に搬送され、その先端を再給紙位置決め部材２３に当接させた状態で貯容される。
【００５８】
１枚目の用紙Ｐが補助トレイ２１上に案内されている間も版胴１２は回転を継続しており、給紙部４からは１枚目の用紙Ｐと同じタイミングで２枚目の用紙Ｐが給送される。給送された２枚目の用紙Ｐは１枚目の用紙Ｐと同様にプレスローラ１３によってその一方の面に表面画像を転写された後、第１の位置を占めている切替爪１５の先端によって版胴１２の外周面より剥離されて補助トレイ２１へと送られる。このとき揺動手段３４は、プレスローラ１３の版胴１２に対する押圧範囲を第３の範囲に設定する。
【００５９】
給紙部４から２枚目の用紙Ｐが給送された後、版胴１２の裏面領域がプレスローラ１３と対応する位置に到達するよりもやや早いタイミングで再給紙レジストローラ２０が作動し、補助トレイ２１上に貯容されている１枚目の用紙Ｐがプレスローラ１３の周面に圧接される。プレスローラ１３の周面に圧接された１枚目の用紙Ｐは、版胴１２に圧接して従動回転しているプレスローラ１３の回転力によって版胴１２との当接部に向けて搬送され、分割製版済みマスタ１７の第２製版画像に圧接されることによりその他方の面に２枚目の原稿画像に対応した印刷画像を転写される。
【００６０】
裏面画像を転写されて両面印刷済み用紙となった１枚目の用紙Ｐは、切替爪１５が第２の位置を占めると共に剥離爪４５が版胴１２の外周面に対して近接した位置を占めることにより版胴１２の外周面より剥離され、中間搬送装置２４へと送られる。中間搬送装置２４へと送られた印刷済みの用紙Ｐは、中間搬送装置２４の吸着搬送力によって下流側へと搬送され、離間位置において保持されているプレスローラ２６と版胴２５との間を通過して排紙搬送手段３２へと送られる。送られた用紙Ｐは排紙搬送手段３２によってさらに下流側へと吸着搬送され、排紙トレイ３３上に排出積載される。以下、上述の動作が設定された印刷枚数を消化するまで繰り返され、設定印刷枚数に達すると各部位の作動が停止して印刷動作が完了する。なお、最終の用紙Ｐが補助トレイ２１上に貯容された後、揺動手段３４はプレスローラ１３の版胴１２に対する押圧範囲を第２の範囲に設定する。
【００６１】
次に、セレクトスイッチ４３が「４」を指し、第４のモードである表裏面異色印刷が行われる場合を説明する。オペレータによりセレクトスイッチ４３が「４」の位置に切り替えられ、画像読取部１０に印刷すべき２枚の原稿のうちの１枚目がセットされた後に製版スタートキー３７が押下されると、画像読取部１０において１枚目の原稿画像の読取動作が行われると共に排版部５が作動して版胴１２の外周面上から使用済みの分割製版済みマスタ１７が剥離される。１枚目原稿の読取動作完了後、画像読取部１０に２枚目の原稿がセットされた後に再び製版スタートキー３７が押下されると、２枚目の原稿画像の読取動作が行われると共に排版部８が作動し、版胴２５の外周面上から使用済みの分割製版済みマスタ２８が剥離される。排版後、各製版部３，７が作動して新たな分割製版済みマスタ１７，２８がそれぞれ製版され、これが各版胴１２，２５にそれぞれ巻装される。
【００６２】
このときに作成される分割製版済みマスタ１７には、表裏面異色印刷であるために１枚目の原稿画像に対応した第１製版画像のみが作成され、第２製版画像は未製版状態で作成される。また、分割製版済みマスタ２８にも分割製版済みマスタ１７と同様に２枚目の原稿画像に対応した第１製版画像のみが作成され、第２製版画像は未製版状態で作成される。
【００６３】
巻装動作が完了して複胴式孔版印刷装置１が印刷待機状態となった後、オペレータにより各種印刷条件が設定された後に印刷スタートキー３８が押下されると、各版胴１２，２５が設定された印刷速度に応じた周速度で回転駆動されると共に給紙部４より用紙Ｐが１枚分離給送され、用紙Ｐはレジストローラ対により所定のタイミングで版胴１２とプレスローラ１３との間に向けて送られる。
【００６４】
揺動手段３４はプレスローラ１３の版胴１２に対する押圧範囲を第１の範囲または第３の範囲に設定しており、版胴１２が所定の角度まで回転してその表面領域がプレスローラ１３と対応する位置を占めると、揺動手段３４の作動によりプレスローラ１３が圧接位置を占め、用紙Ｐが版胴１２上の分割製版済みマスタ１７の第１製版画像に圧接されてその一方の面に１枚目の原稿画像に対応した黒色印刷画像を転写される。表面印刷済み用紙となった用紙Ｐは、第１の位置を占めている切替爪１５の先端によって版胴１２の外周面より剥離され、補助トレイ２１へと送られて載置される。補助トレイ２１上の用紙Ｐは、その先端を再給紙位置決め部材２３に当接させた状態で貯容される。
【００６５】
１枚目の用紙Ｐが補助トレイ２１上に案内されている間も版胴１２は回転を継続しており、給紙部４からは１枚目の用紙Ｐと同じタイミングで２枚目の用紙Ｐが給送される。給送された２枚目の用紙Ｐは１枚目の用紙Ｐと同様にプレスローラ１３によってその一方の面に黒色印刷画像を転写された後、第１の位置を占めている切替爪１５の先端によって版胴１２の外周面より剥離されて補助トレイ２１へと送られる。
【００６６】
給紙部４から２枚目の用紙Ｐが給送された後、版胴１２の裏面領域がプレスローラ１３と対応する位置に到達するよりもやや早いタイミングで再給紙レジストローラ２０が作動し、補助トレイ２１上に貯容されている１枚目の用紙Ｐがプレスローラ１３の周面に圧接される。プレスローラ１３の周面に圧接された１枚目の用紙Ｐは、プレスローラ１３の版胴１２に対する押圧範囲が第１の範囲に設定されている場合には版胴１２と離間した状態で図示しないプレスローラ駆動手段により回転駆動されているプレスローラ１３の回転力によって版胴１２との間に向けて搬送され、第２の位置を占めている切替爪１５により中間搬送装置２４へと案内される。プレスローラ１３の版胴１２に対する押圧範囲が第３の範囲に設定されている場合には、１枚目の用紙Ｐは版胴１２に圧接して従動回転しているプレスローラ１３の回転力によって版胴１２との間に向けて搬送され、第２の位置を占めている切替爪１５により中間搬送装置２４へと案内される。
【００６７】
中間搬送装置２４へと送られた黒色画像印刷済みの用紙Ｐは、中間搬送装置２４の吸着搬送力によって下流側へと搬送され、所定のタイミングで版胴２５とプレスローラ２６との間に向けて送られる。揺動手段３５はプレスローラ２６の版胴２５に対する押圧範囲を第１の範囲または第３の範囲に設定しており、版胴２５が所定の角度まで回転してその表面領域がプレスローラ２６と対応する位置を占めると揺動手段３５の作動によりプレスローラ２６が圧接位置を占め、用紙Ｐが版胴２５上の分割製版済みマスタ２８の第１製版画像に圧接されてその他方の面に２枚目の原稿画像に対応した赤色印刷画像を転写される。
【００６８】
一方の面に黒色印刷画像を、他方の面に赤色印刷画像をそれぞれ転写されて表裏面異色印刷済み用紙となった用紙Ｐは、版胴２５の外周面に対して近接した位置を占めた剥離爪３１によって版胴２５の外周面より剥離され、排紙搬送手段３２へと送られる。送られた用紙Ｐは排紙搬送手段３２によってさらに下流側へと吸着搬送され、排紙トレイ３３上に排出積載される。以下、上述の動作が設定された印刷枚数を消化するまで繰り返され、設定印刷枚数に達すると各部位の作動が停止して印刷動作が完了する。
【００６９】
上述の動作では、用紙Ｐの一方の面に形成される印刷画像に対応した製版画像を分割製版済みマスタ１７の第１製版画像とし、他方の面に形成される印刷画像に対応した製版画像を分割製版済みマスタ２８の第１製版画像とする例を示したが、各分割製版済みマスタ１７，２８に何れの製版画像を形成してもよい。分割製版済みマスタ１７に第２製版画像を形成する場合には、揺動手段３４はプレスローラ１３の版胴１２に対する押圧範囲を第２の範囲または第３の範囲に設定し、分割製版済みマスタ２８に第２製版画像を形成する場合には、揺動手段３５はプレスローラ２６の版胴２５に対する押圧範囲を第２の範囲または第３の範囲に設定する。
【００７０】
次に、セレクトスイッチ４３が「５」を指し、第５のモードである一面同色他面多色印刷が行われる場合を説明する。オペレータによりセレクトスイッチ４３が「５」の位置に切り替えられ、画像読取部１０に印刷すべき３枚の原稿のうちの１枚目がセットされた後に製版スタートキー３７が押下されると、画像読取部１０において１枚目の原稿画像の読取動作が行われると共に排版部５が作動して版胴１２の外周面上から使用済みの分割製版済みマスタ１７が剥離される。１枚目原稿の読取動作完了後、画像読取部１０に２枚目の原稿がセットされた後に再び製版スタートキー３７が押下されると、画像読取部１０において２枚目の原稿画像の読取動作が行われる。２枚目原稿の読取動作完了後、画像読取部１０に３枚目の原稿がセットされた後に再び製版スタートキー３７が押下されると、３枚目の原稿画像の読取動作が行われると共に排版部８が作動し、版胴２５の外周面上から使用済みの分割製版済みマスタ２８が剥離される。排版後、各製版部３，７が作動して新たな分割製版済みマスタ１７，２８がそれぞれ製版され、これが各版胴１２，２５にそれぞれ巻装される。
【００７１】
このときに作成される分割製版済みマスタ１７には、一面同色他面多色印刷であるために用紙Ｐの一面に形成される１枚目の原稿画像に対応した第１製版画像及び用紙Ｐの他面に形成される第１色の印刷画像である２枚目の原稿画像に対応した第２製版画像がそれぞれ作成され、分割製版済みマスタ２８には用紙Ｐの他面に形成される第２色の印刷画像である３枚目の原稿画像に対応した第１製版画像が作成される。
【００７２】
巻装動作が完了して複胴式孔版印刷装置１が印刷待機状態となった後、オペレータにより各種印刷条件が設定された後に印刷スタートキー３８が押下されると、各版胴１２，２５が設定された印刷速度に応じた周速度で回転駆動されると共に給紙部４より用紙Ｐが１枚分離給送され、用紙Ｐはレジストローラ対により所定のタイミングで版胴１２とプレスローラ１３との間に向けて送られる。
【００７３】
揺動手段３４はプレスローラ１３の版胴１２に対する押圧範囲を第１の範囲に設定しており、版胴１２が所定の角度まで回転してその表面領域がプレスローラ１３と対応する位置を占めると、揺動手段３４の作動によりプレスローラ１３が圧接位置を占め、用紙Ｐが版胴１２上の分割製版済みマスタ１７の第１製版画像に圧接されてその一方の面に１枚目の原稿画像に対応した黒色印刷画像を転写される。表面印刷済み用紙となった用紙Ｐは、第１の位置を占めている切替爪１５の先端によって版胴１２の外周面より剥離され、補助トレイ２１へと送られてその先端を再給紙位置決め部材２３に当接させた状態で貯容される。
【００７４】
１枚目の用紙Ｐが補助トレイ２１上に案内されている間も版胴１２は回転を継続しており、給紙部４からは１枚目の用紙Ｐと同じタイミングで２枚目の用紙Ｐが給送される。給送された２枚目の用紙Ｐは１枚目の用紙Ｐと同様にプレスローラ１３によってその一方の面に黒色印刷画像を転写された後、第１の位置を占めている切替爪１５の先端によって版胴１２の外周面より剥離されて補助トレイ２１へと送られる。このとき揺動手段３４は、プレスローラ１３の版胴１２に対する押圧範囲を第３の範囲に設定する。
【００７５】
給紙部４から２枚目の用紙Ｐが給送された後、版胴１２の裏面領域がプレスローラ１３と対応する位置に到達するよりもやや早いタイミングで再給紙レジストローラ２０が作動し、補助トレイ２１上に貯容されている１枚目の用紙Ｐがプレスローラ１３の周面に圧接される。プレスローラ１３の周面に圧接された１枚目の用紙Ｐは、版胴１２に圧接して従動回転しているプレスローラ１３の回転力によって版胴１２との当接部に向けて搬送され、分割製版済みマスタ１７の第２製版画像に圧接されることによりその他方の面に２枚目の原稿画像に対応した黒色印刷画像を転写される。
【００７６】
裏面画像を転写されて両面印刷済み用紙となった１枚目の用紙Ｐは、切替爪１５が第２の位置を占めると共に剥離爪４５が版胴１２の外周面に対して近接した位置を占めることにより版胴１２の外周面より剥離され、中間搬送装置２４へと送られる。中間搬送装置２４へと送られた黒色画像両面印刷済みの用紙Ｐは、中間搬送装置２４の吸着搬送力によって下流側へと搬送され、所定のタイミングで版胴２５とプレスローラ２６との間に向けて送られる。揺動手段３５はプレスローラ２６の版胴２５に対する押圧範囲を第１の範囲に設定しており、版胴２５が所定の角度まで回転してその表面領域がプレスローラ２６と対応する位置を占めると揺動手段３５の作動によりプレスローラ２６が圧接位置を占め、用紙Ｐが版胴２５上の分割製版済みマスタ２８の第１製版画像に圧接されてその他方の面に３枚目の原稿画像に対応した赤色印刷画像を転写される。
【００７７】
一方の面に黒色印刷画像を、他方の面に多色印刷画像をそれぞれ転写されて一面同色他面多色印刷済み用紙となった用紙Ｐは、版胴２５の外周面に対して近接した位置を占めた剥離爪３１によって版胴２５の外周面より剥離され、排紙搬送手段３２へと送られる。送られた用紙Ｐは排紙搬送手段３２によってさらに下流側へと吸着搬送され、排紙トレイ３３上に排出積載される。以下、上述の動作が設定された印刷枚数を消化するまで繰り返され、設定印刷枚数に達すると各部位の作動が停止して印刷動作が完了する。なお、最終の用紙Ｐが補助トレイ２１上に貯容された後、揺動手段３４はプレスローラ１３の版胴１２に対する押圧範囲を第２の範囲に設定する。
【００７８】
上述の動作では、用紙Ｐの他方の面に形成される第２色の印刷画像に対応した製版画像を分割製版済みマスタ２８の第１製版画像とする例を示したが、第２色の印刷画像に対応した製版画像を分割製版済みマスタ２８の第２製版画像としてもよい。この場合には、揺動手段３５はプレスローラ２６の版胴２５に対する押圧範囲を第２の範囲または第３の範囲に設定する。
【００７９】
上述の構成によれば、セレクトスイッチ４３により片面単色印刷を行う第１のモード、片面多色印刷を行う第２のモード、両面同色印刷を行う第３のモード、表裏面異色印刷を行う第４のモード、一面同色他面多色印刷を行う第５のモードの何れかに印刷モードを切り替えることができ、１工程両面多色印刷を行うことができる。
【００８０】
第１の実施形態では１工程両面印刷部２の下流側に単一の印刷部６を設けて２色印刷が可能な構成を示したが、印刷部６と同様の印刷部を複数設けて３色以上の多色印刷が可能な構成としてもよい。この場合には、印刷部６とその下流側に配置される印刷部との間に中間搬送装置２４と同様の中間搬送装置を配置する構成とする。この構成における追加された印刷部の動作制御は、第１の実施形態における印刷部６の動作制御と同様である。
【００８１】
第１の実施形態では、版胴２５の外周面上に分割製版済みマスタ２８を巻装して版胴２５の表面領域あるいは裏面領域に印刷画像を形成する印刷部６を用いた例を示したが、印刷部６に代えて通常の孔版印刷装置と同様に、版胴外周面上に単一の製版画像を有する製版済みマスタを巻装して印刷画像を形成する印刷部を用いてもよい。この場合には、１工程両面印刷部２において、第１製版画像側のみを用いる場合と第２製版画像側のみを用いる場合とにおいて、中間搬送装置２４における下流側への用紙搬送タイミングを制御可能な構成とすることが望ましい。
【００８２】
図４は、本発明の第２の実施形態を採用した複胴式孔版印刷装置を示している。同図に示す複胴式孔版印刷装置４６は、図１に示した複胴式孔版印刷装置１と比較すると、印刷部６に代えて下流側印刷部としての１工程両面印刷部４７を有している点、操作パネル３６に代えて操作パネル４８を用いる点、制御手段４４に代えて制御手段４９を用いる点においてのみ相違し、他の構成は同一である。
【００８３】
１工程両面印刷部２の左方には、版胴５０と押圧手段としてのプレスローラ５１とを有する１工程両面印刷部４７が配設されている。版胴５０は装置本体１１に回転自在かつ着脱自在に支持されており、版胴１２と同じ図示しない版胴駆動手段からの回転駆動力を図示しない駆動力伝達手段を介して伝達され、版胴１２と同期して回転駆動される。版胴５０はその外周面上に開閉自在なクランパ５２を有しており、版胴５０の外周面上には分割製版済みマスタ５３が巻装される。分割製版済みマスタ５３は、版胴５０上において、第１製版画像が図４に示す表面領域に、第２製版画像が同裏面領域に、未製版部分が同中間領域にそれぞれ対応するように巻装される。版胴５０の外周面近傍には、版胴５０の位置を検知する図示しないロータリエンコーダが設けられている。
【００８４】
版胴５０の内部には、インキ供給手段２９と同様の構成を有するインキ供給手段５４が配設されている。インキ供給手段５４は、版胴５０と一体的に装置本体１１に対して着脱される。また、インキ供給手段５４の図示しないインキパックには、インキ供給手段２９のインキパックに貯容されたインキ（本実施形態では黒色）とは異なる色（本実施形態では赤色）のインキが貯容されている。
【００８５】
版胴５０の下方にはプレスローラ５１が配設されている。プレスローラ１３と同様に構成されたプレスローラ５１は図示しないアーム部材にその両端を回転自在に支持されており、図示しないアーム部材は揺動手段５５（図６参照）によって揺動自在に支持されている。プレスローラ５１はその周面が版胴５０より離間する図４に示す離間位置と、その周面が版胴５０上の分割製版済みマスタ５３に圧接する圧接位置とを選択的に占める。プレスローラ５１の近傍には、印刷された用紙Ｐを後述する補助トレイ６０に導く案内部材５６が配設されている。
【００８６】
プレスローラ５１の近傍には、特開２００３−２００６４５号公報に開示されたプレスローラー回転駆動手段１３９と同様の図示しないプレスローラ駆動手段が配設されており、プレスローラ５１は版胴５０の回転周速度と同じ回転周速度で回転駆動される。また、図示しないプレスローラ駆動手段には図示しない一方向クラッチが介装されており、プレスローラ５１は、版胴５０との圧接時において版胴５０に対して従動回転可能に構成されている。
【００８７】
図示しないアーム部材を揺動させる揺動手段５５は、特開２００３−２００６４５号公報に開示されたプレスローラー接離機構５５と同様に３枚のカム板を有しており、各カム板の何れかが図示しないアーム部材に設けられたカムフォロアと当接することによって、プレスローラ５１の版胴５０に対する押圧範囲を、第１製版画像すなわち表面領域に対応した第１の範囲、または第２製版画像すなわち裏面領域に対応した第２の範囲、または第１製版画像と第２製版画像とを合わせた範囲すなわち表面領域と裏面領域とを合わせた範囲である第３の範囲の何れかに設定する。これにより揺動手段５５は、版胴５０に対するプレスローラ５１の押圧範囲を切り替える押圧範囲切替手段として機能する。揺動手段５５の近傍には、プレスローラ５１を離間位置で保持する図示しないプレスローラ保持手段が配設されている。
【００８８】
プレスローラ５１の右方近傍には、再給紙案内部材１９と同様の再給紙案内部材５７が配設されており、プレスローラ５１の下方には再給紙レジストローラ２０と同様の再給紙レジストローラ５８が配設されている。プレスローラ５１の左下方には再給紙搬送手段２２と同様の再給紙搬送手段５９が配設されており、これには補助トレイ６０及び再給紙位置決め部材６１が一体的に設けられている。これら再給紙案内部材５７、再給紙レジストローラ５８、再給紙搬送手段５９、補助トレイ６０、再給紙位置決め部材６１によって再給紙手段６２が構成されている。
【００８９】
版胴５０とプレスローラ５１との接触位置の左方であって用紙Ｐの搬送経路上には切替爪６３が配設されている。切替爪６３は切替爪１５と同様に構成されており、図示しない移動手段によって移動されることにより図４に二点鎖線で示す第１の位置と実線で示す第２の位置とを選択的に占める。版胴５０とプレスローラ５１との間を通過した用紙Ｐは、切替爪６３が第１の位置を占めているときに補助トレイ６０へと案内され、切替爪６３が第２の位置を占めているときに排紙部９へと案内される。
【００９０】
図５は、装置本体１１の上部前面に設けられた複胴式孔版印刷装置４６の操作パネルを示している。この操作パネル４８は、操作パネル３６と比較すると、セレクトスイッチ４３に代えてセレクトスイッチ６４を有する点においてのみ相違しており、他の構成は同一である。
【００９１】
セレクトスイッチ６４は、複胴式孔版印刷装置４６の印刷モードを、片面単色印刷を行う第１のモード、片面多色印刷を行う第２のモード、両面同色印刷を行う第３のモード、表裏面異色印刷を行う第４のモード、一面同色他面多色印刷を行う第５のモード、両面多色印刷を行う第６のモードの何れかに切り替える際に操作される。
【００９２】
図６は、複胴式孔版印刷装置４６に用いられる制御手段のブロック図である。同図において制御手段４９は制御手段４４と同様のマイクロコンピュータであり、図示しないロータリエンコーダ及び操作パネル４８からの動作信号、図示しない各種センサからの検知信号等に基づいて１工程両面印刷部２、製版部３、給紙部４、排版部５、１工程両面印刷部４７、製版部７、排版部８、排紙部９、画像読取部１０、中間搬送装置２４の作動をそれぞれ制御する。
【００９３】
上述の構成に基づき、以下に複胴式孔版印刷装置４６の動作を説明する。この第２の実施形態において、セレクトスイッチ６４が「１」を指す片面単色印刷が行われる第１のモード、セレクトスイッチ６４が「２」を指す片面多色印刷が行われる第２のモード、セレクトスイッチ６４が「３」を指す両面同色印刷が行われる第３のモード、セレクトスイッチ６４が「４」を指す表裏面異色印刷が行われる第４のモード、セレクトスイッチ６４が「５」を指す一面同色他面多色印刷が行われる第５のモードにおける動作は第１の実施形態と同様であるのでその説明を省略し、セレクトスイッチ６４が「６」を指す両面多色印刷が行われる第６のモードにおける動作のみを以下に説明する。
【００９４】
オペレータによりセレクトスイッチ６４が「６」の位置に切り替えられ、画像読取部１０に印刷すべき４枚の原稿のうちの１枚目がセットされた後に製版スタートキー３７が押下されると、画像読取部１０において１枚目の原稿画像の読取動作が行われると共に排版部５が作動して版胴１２の外周面上から使用済みの分割製版済みマスタ１７が剥離される。１枚目原稿の読取動作完了後、画像読取部１０に２枚目の原稿がセットされた後に再び製版スタートキー３７が押下されると、画像読取部１０において２枚目の原稿画像の読取動作が行われる。２枚目原稿の読取動作完了後、画像読取部１０に３枚目の原稿がセットされた後に再び製版スタートキー３７が押下されると、３枚目の原稿画像の読取動作が行われると共に排版部８が作動し、版胴５０の外周面上から使用済みの分割製版済みマスタ５３が剥離される。３枚目原稿の読取動作完了後、画像読取部１０に４枚目の原稿がセットされた後に再び製版スタートキー３７が押下されると、画像読取部１０において４枚目の原稿画像の読取動作が行われる。排版後、各製版部３，７が作動して新たな分割製版済みマスタ１７，５３がそれぞれ製版され、これが各版胴１２，５０にそれぞれ巻装される。
【００９５】
このときに作成される分割製版済みマスタ１７には、両面多色印刷であるために用紙Ｐの一面に形成される第１色の印刷画像である１枚目の原稿画像に対応した第１製版画像及び用紙Ｐの他面に形成される第１色の印刷画像である２枚目の原稿画像に対応した第２製版画像がそれぞれ作成される。一方、分割製版済みマスタ５３には、用紙Ｐの他面に形成される第２色の印刷画像である４枚目の原稿画像に対応した第１製版画像及び用紙Ｐの一面に形成される第２色の印刷画像である３枚目の原稿画像に対応した第２製版画像がそれぞれ形成される。
【００９６】
上述の構成において、１工程両面印刷部２において両面印刷がなされた用紙Ｐは、給紙部４において貯容された状態とはその表裏が反転された状態で中間搬送装置２４を介して１工程両面印刷部４７に搬送されてくるため、１工程両面印刷部４７では用紙Ｐの他面への印刷が先に行われた後に用紙Ｐの一面への印刷が行われることとなる。このため、１工程両面印刷部のみを用紙搬送方向上流側より数えた際に偶数番目に位置する１工程両面印刷部４７では、版胴５０に巻装される分割製版済みマスタ５３の第１製版画像が用紙Ｐの他面に、第２製版画像が用紙Ｐの一面に印刷されることとなるため、分割製版済みマスタ１７とはその位置を入れ替えている。
【００９７】
これは、画像読取部１０で原稿画像を読み取る際にオペレータが原稿の順番を入れ替えればよいが、この作業が煩雑であり間違え易いため、製版部７で製版動作が行われる際に、製版部７は先に読み取られた原稿（３枚目の原稿）を第２製版画像とし、後に読み取られた原稿（４枚目の原稿）を第１製版画像としてそれぞれ製版する。これによりオペレータは、原稿の順番を通常の順番、すなわち用紙Ｐの一面に形成される第１色の印刷画像に対応した原稿を１枚目、用紙Ｐの他面に形成される第１色の印刷画像に対応した原稿を２枚目、用紙Ｐの一面に形成される第２色の印刷画像に対応した原稿を３枚目、用紙Ｐの他面に形成される第２色の印刷画像に対応した原稿を４枚目として読取動作を行わせることができる。
【００９８】
巻装動作が完了して複胴式孔版印刷装置４６が印刷待機状態となった後、オペレータにより各種印刷条件が設定された後に印刷スタートキー３８が押下されると、各版胴１２，５０が設定された印刷速度に応じた周速度で回転駆動されると共に給紙部４より用紙Ｐが１枚分離給送され、用紙Ｐはレジストローラ対により所定のタイミングで版胴１２とプレスローラ１３との間に向けて送られる。
【００９９】
揺動手段３４はプレスローラ１３の版胴１２に対する押圧範囲を第１の範囲に設定しており、版胴１２が所定の角度まで回転してその表面領域がプレスローラ１３と対応する位置を占めると、揺動手段３４の作動によりプレスローラ１３が圧接位置を占め、用紙Ｐが版胴１２上の分割製版済みマスタ１７の第１製版画像に圧接されてその一方の面に１枚目の原稿画像に対応した黒色印刷画像を転写される。表面印刷済み用紙となった用紙Ｐは、第１の位置を占めている切替爪１５の先端によって版胴１２の外周面より剥離され、補助トレイ２１へと送られてその先端を再給紙位置決め部材２３に当接させた状態で貯容される。
【０１００】
１枚目の用紙Ｐが補助トレイ２１上に案内されている間も版胴１２は回転を継続しており、給紙部４からは１枚目の用紙Ｐと同じタイミングで２枚目の用紙Ｐが給送される。給送された２枚目の用紙Ｐは１枚目の用紙Ｐと同様にプレスローラ１３によってその一方の面に黒色印刷画像を転写された後、第１の位置を占めている切替爪１５の先端によって版胴１２の外周面より剥離されて補助トレイ２１へと送られる。このとき揺動手段３４は、プレスローラ１３の版胴１２に対する押圧範囲を第３の範囲に設定する。
【０１０１】
給紙部４から２枚目の用紙Ｐが給送された後、版胴１２の裏面領域がプレスローラ１３と対応する位置に到達するよりもやや早いタイミングで再給紙レジストローラ２０が作動し、補助トレイ２１上に貯容されている１枚目の用紙Ｐがプレスローラ１３の周面に圧接される。プレスローラ１３の周面に圧接された１枚目の用紙Ｐは、版胴１２に圧接して従動回転しているプレスローラ１３の回転力によって版胴１２との当接部に向けて搬送され、分割製版済みマスタ１７の第２製版画像に圧接されることによりその他方の面に２枚目の原稿画像に対応した黒色印刷画像を転写される。
【０１０２】
裏面画像を転写されて両面印刷済み用紙となった１枚目の用紙Ｐは、切替爪１５が第２の位置を占めると共に剥離爪４５が版胴１２の外周面に対して近接した位置を占めることにより版胴１２の外周面より剥離され、中間搬送装置２４へと送られる。中間搬送装置２４へと送られた黒色画像両面印刷済みの１枚目の用紙Ｐは、中間搬送装置２４の吸着搬送力によって下流側へと搬送され、所定のタイミングで版胴５０とプレスローラ５１との間に向けて送られる。揺動手段５５はプレスローラ５１の版胴５０に対する押圧範囲を第１の範囲に設定しており、版胴５０が所定の角度まで回転してその表面領域がプレスローラ５１と対応する位置を占めると揺動手段５５の作動によりプレスローラ５１が圧接位置を占め、１枚目の用紙Ｐが版胴５０上の分割製版済みマスタ５３の第１製版画像に圧接されてその他方の面に４枚目の原稿画像に対応した赤色印刷画像を転写される。４枚目の原稿画像に対応した赤色印刷画像が転写された１枚目の用紙Ｐは、第１の位置を占めている切替爪６３の先端によって版胴５０の外周面より剥離され、補助トレイ６０へと送られてその先端を再給紙位置決め部材６１に当接させた状態で貯容される。
【０１０３】
１枚目の用紙Ｐが補助トレイ６０上に案内されている間も版胴５０は回転を継続しており、中間搬送装置２４からは１枚目の用紙Ｐと同じタイミングで２枚目の用紙Ｐが給送される。給送された２枚目の用紙Ｐは１枚目の用紙Ｐと同様にプレスローラ５１によってその他方の面に赤色印刷画像を転写された後、第１の位置を占めている切替爪６３の先端によって版胴５０の外周面より剥離されて補助トレイ６０へと送られる。このとき揺動手段５５は、プレスローラ５１の版胴５０に対する押圧範囲を第３の範囲に設定する。
【０１０４】
中間搬送装置２４から２枚目の用紙Ｐが給送された後、版胴５０の裏面領域がプレスローラ５１と対応する位置に到達するよりもやや早いタイミングで再給紙レジストローラ５８が作動し、補助トレイ６０上に貯容されている１枚目の用紙Ｐがプレスローラ５１の周面に圧接される。プレスローラ５１の周面に圧接された１枚目の用紙Ｐは、版胴５０に圧接して従動回転しているプレスローラ５１の回転力によって版胴５０との当接部に向けて搬送され、分割製版済みマスタ５３の第２製版画像に圧接されることによりその一方の面に３枚目の原稿画像に対応した赤色印刷画像を転写される。
【０１０５】
３枚目の原稿画像に対応した赤色印刷画像を転写されて両面多色印刷済み用紙となった１枚目の用紙Ｐは、切替爪６３が第２の位置を占めると共に剥離爪３１が版胴５０の外周面に対して近接した位置を占めることにより版胴５０の外周面より剥離され、排紙搬送手段３２へと送られる。送られた用紙Ｐは排紙搬送手段３２によってさらに下流側へと吸着搬送され、排紙トレイ３３上に排出積載される。以下、上述の動作が設定された印刷枚数を消化するまで繰り返され、設定印刷枚数に達すると各部位の作動が停止して印刷動作が完了する。なお、最終の用紙Ｐが補助トレイ２１上に貯容された後に揺動手段３４はプレスローラ１３の版胴１２に対する押圧範囲を第２の範囲に設定し、最終の用紙Ｐが補助トレイ６０上に貯容された後に揺動手段５５はプレスローラ５１の版胴５０に対する押圧範囲を第２の範囲に設定する。
【０１０６】
上述の構成によれば、セレクトスイッチ６４により片面単色印刷を行う第１のモード、片面多色印刷を行う第２のモード、両面同色印刷を行う第３のモード、表裏面異色印刷を行う第４のモード、一面同色他面多色印刷を行う第５のモード、両面多色印刷を行う第６のモードの何れかに印刷モードを切り替えることができ、１工程両面多色印刷を行うことができる。
【０１０７】
第２の実施形態では１工程両面印刷部２の下流側に単一の１工程両面印刷部４７を設けて２色による両面印刷が可能な構成を示したが、印刷部６と同様の印刷部を各１工程両面印刷部２，４７間あるいは１工程両面印刷部４７の用紙搬送方向下流側に複数設けて３色以上の両面多色印刷が可能な構成としてもよい。この場合には、各印刷部間に中間搬送装置２４と同様の中間搬送装置を配置する構成とする。この構成における追加された印刷部の動作制御は、第１の実施形態における印刷部６の動作制御と同様である。
【図面の簡単な説明】
【０１０８】
【図１】本発明の第１の実施形態を採用した複胴式孔版印刷装置の概略正面図である。
【図２】本発明の第１の実施形態に用いられる操作パネルの概略図である。
【図３】本発明の第１の実施形態に用いられる制御手段のブロック図である。
【図４】本発明の第２の実施形態を採用した複胴式孔版印刷装置の概略正面図である。
【図５】本発明の第２の実施形態に用いられる操作パネルの概略図である。
【図６】本発明の第２の実施形態に用いられる制御手段のブロック図である。
【符号の説明】
【０１０９】
１，４６  複胴式孔版印刷装置
２  最上流印刷部（１工程両面印刷部）
６  下流側印刷部（印刷部）
１２，２５，５０  版胴
１３，２６，５１  押圧手段（プレスローラ）
１４，６２  再給紙手段
１５，６３  切替爪
１７，２８，５３  分割製版済みマスタ
２４  中間搬送装置
３４，３５，５５  押圧範囲切替手段（揺動手段）
４７  下流側印刷部（１工程両面印刷部）
Ｐ  用紙
【図１】
2006347033.tif 000003
【図２】
2006347033.tif 000004
【図３】
2006347033.tif 000005
【図４】
2006347033.tif 000006
【図５】
2006347033.tif 000007
【図６】
2006347033.tif 000008